(57)【要約】  【課題】シャッタ羽根に開閉作動を行わせる駆動部材の回転を、駆動部材に連動して回転する部材を制動することによって、好適に停止させるようにしたカメラ用フォーカルプレンシャッタを提供すること。  【解決手段】先羽根用駆動部材６によって回転させられる歯車８と後羽根用駆動部材１３によって回転させられる歯車１５は、夫々二つの突起部８ａ，８ｂ，１５ａ，１５ｂを有している。歯車８，１５と同軸上に回転可能に取り付けられている摩擦板９，１６には、夫々二つの切欠き部９ａ，９ｂ，１６ａ，１６ｂが形成されている。各駆動部材６，１３は、露光作動終了直前になると、先ず、歯車８，１５の突起部８ａ，８ｂ，１５ａ，１５ｂが、摩擦板９，１６を回転させて制動され、次に、駆動ピン６ｄ，１３ｄが、緩衝部材２，３に当接して停止させられる。【選択図】  図１
2008275778.tif 000002
【特許請求の範囲】
【請求項１】
両方の間に少なくとも一つの羽根室を構成しており一方には円弧状をした少なくとも一つの長孔を形成している二つの地板と、複数のアームとそれらのアームに枢支された少なくとも１枚の羽根とで構成されていて羽根室内においてそれらのアームの一端を前記一方の地板に回転可能に取り付けられている少なくとも一つのシャッタ羽根と、羽根室外において前記一方の地板に回転可能に取り付けられており部分歯車部と前記長孔を貫通して前記アームの一つに連結された駆動ピンとを有していて撮影時には駆動源によって回転させられ前記シャッタ羽根を作動させる少なくとも一つの駆動部材と、少なくとも二つの押動部を有していて前記一方の地板に回転可能に取り付けられており前記部分歯車部に噛合している歯車と、前記押動部によって異なる回転方向へ押される少なくとも二つの被押動部を有していて前記歯車と同軸上においてその回転に摩擦力を付与されて取り付けられており前記駆動部材の回転の終了段階においてだけ該被押動部が前記押動部に押されて回転し前記駆動部材の回転を制動する摩擦板と、を備えていることを特徴とするカメラ用フォーカルプレンシャッタ。
【請求項２】
前記摩擦板は、ばね部材によって軸方向へ押圧されることによって摩擦力を付与されていることを特徴とする請求項１に記載のカメラ用フォーカルプレンシャッタ。
【請求項３】
前記ばね部材は、圧縮コイルばねであることを特徴とする請求項２に記載のカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、それらのいずれのフォーカルプレンシャッタの場合でも、シャッタ羽根の構成は略同じであって、長さ方向の一端をシャッタ地板に回転可能に取り付けている複数のアームと、それらのアームに枢支された少なくとも１枚の羽根とで構成されている。
【０００４】
また、シャッタ羽根の駆動部材は、シャッタ地板の羽根室外の面に回転可能に取り付けられており、その駆動ピンを、シャッタ地板に形成された円弧状の長孔から羽根室内に延伸させ、上記のアームの一つに形成された孔に嵌合させている。そして、駆動部材が往復回転をすると、シャッタ羽根が露光開口の開閉作動を行うようになっている。また、その駆動部材は、一方へは、駆動ばねの付勢力によって回転させられ、他方へは、シャッタ地板に回転可能に取り付けられたセット部材によって回転させられるように構成されているのが普通であるが、最近では、駆動源として、そのような駆動ばねを用いることなく、電磁アクチュエータを用いて、両方向へ回転させるようにしたものも知られている。
【０００５】
このような構成のフォーカルプレンシャッタは、撮影時には、シャッタ羽根が高速で作動させられるが、その作動終了時には、駆動部材やシャッタ羽根が、ストッパに当接して停止させられるようになっているが、そのとき、ストッパに当接して大きくバウンドすると、露光むらを発生させたり、衝撃による暴れ現象によってシャッタ羽根が破壊されてしまったりすることから、停止位置にはブチルゴム製などの弾性材料からなる緩衝部材を取り付けておき、駆動部材やシャッタ羽根をそれらに当接させるようにしているのが普通である。ところが、駆動部材の場合には、駆動源によって直接回転させられるため、上記のような緩衝部材を設けただけでは不十分なことがある。そのため、そのような場合には、緩衝部材のほかに、摩擦力を付与されているブレーキ部材を備えておき、駆動部材の駆動ピンは、先ず、ブレーキ部材を回転させることによって制動させられてから上記の緩衝部材に当接するようにすることが知られている。そして、そのように構成したフォーカルプレンシャッタが、下記の特許文献１に記載されている。
【０００６】
【特許文献１】特開平９−２３６８４５号公報
【発明の開示】
【発明が解決しようとする課題】
【０００７】
ところで、特許文献１に記載されているブレーキ部材は、駆動部材の取付位置からは離れたところに取り付けられている緩衝部材の近傍位置に、板ばねによってその回転に摩擦力が働くようにして取り付けられているが、その両方向への回転は、いずれも、駆動ピンに押されて行うように構成されているため、ブレーキ部材には、駆動ピンに当接されて押される二つのカム面が形成されている。周知のように、一般には、カム面の設計や加工は簡単ではない。そのため、上記のブレーキ部材のように、互いに形状が異なっていて、且つ同じ一つの駆動ピンに対して所定の位置からだけ連動させるようにした二つのカム面を形成することは、設計上、決して好ましいことではない。しかも、ブレーキ部材の加工公差や地板への組立公差によっても、カム面に対して駆動ピンの当接するタイミングと位置がずれてしまうので、製作上、駆動ピンが緩衝部材に当接する前に、駆動ピンに対して所定の制動を与えておくようにするのが非常に難しい。
【０００８】
本発明は、このような問題点を解決するためになされたものであり、その目的とするところは、駆動部材の回転終了時において、駆動部材とは常に連動して回転する部材に対して制動力を与えるようにすることによって、カム面を形成した部材を設けなくても、駆動部材を好適に停止させ得るようにした、設計，製造の容易なカメラ用フォーカルプレンシャッタを提供することである。
【課題を解決するための手段】
【０００９】
上記の目的を達成するために、本発明のカメラ用フォーカルプレンシャッタは、両方の間に少なくとも一つの羽根室を構成しており一方には円弧状をした少なくとも一つの長孔を形成している二つの地板と、複数のアームとそれらのアームに枢支された少なくとも１枚の羽根とで構成されていて羽根室内においてそれらのアームの一端を前記一方の地板に回転可能に取り付けられている少なくとも一つのシャッタ羽根と、羽根室外において前記一方の地板に回転可能に取り付けられており部分歯車部と前記長孔を貫通して前記アームの一つに連結された駆動ピンとを有していて撮影時には駆動源によって回転させられ前記シャッタ羽根を作動させる少なくとも一つの駆動部材と、少なくとも二つの押動部を有していて前記一方の地板に回転可能に取り付けられており前記部分歯車部に噛合している歯車と、前記押動部によって異なる回転方向へ押される少なくとも二つの被押動部を有していて前記歯車と同軸上においてその回転に摩擦力を付与されて取り付けられており前記駆動部材の回転の終了段階においてだけ該被押動部が前記押動部に押されて回転し前記駆動部材の回転を制動する摩擦板と、を備えているようにする。
【００１０】
そして、その場合には、前記摩擦板は、ばね部材によって軸方向へ押圧されることによって摩擦力を付与されているようにすることが好ましく、且つその場合のばね部材としては、圧縮コイルばねであることが好ましい。
【発明の効果】
【００１１】
本発明のカメラ用フォーカルプレンシャッタは、駆動部材とは常に連動して回転する歯車が、駆動部材の回転終了時においてだけ、摩擦力を付与されている摩擦板によって制動されるようにしているので、従来のように、カム面を形成した部材が不要になり、設計，製造が容易になるという利点がある。
【発明を実施するための最良の形態】
【００１２】
本発明の実施の形態を、図示した実施例によって説明する。本発明は、上記のように、二つのシャッタ羽根を備えたフォーカルプレンシャッタにも、一つのシャッタ羽根を備えたフォーカルプレンシャッタにも適用することができるものであるが、実施例は、先羽根及び後羽根と称されている二つのシャッタ羽根を備えたフォーカルプレンシャッタに適用したものである。また、二つのシャッタ羽根を備えたフォーカルプレンシャッタは、上記のように、銀塩フィルムカメラにも、デジタルカメラにも採用することができるが、実施例は、デジタルカメラに採用された場合で説明する。
【実施例】
【００１３】
図１〜図４を用いて本実施例を説明する。尚、図１は、露光作動終了直後の状態を被写体側から見て左側約半分を示した平面図であり、図２は、図１の一部拡大図であり、図３は、図２のＡ−Ａ線断面図である。また、図４〜図８は、図１と同様にして見て示した平面図であって、図４は、セット状態を示したものであり、図５は、露光作動開始直前の状態を示したものである。また、図６は、先羽根の露光作動終了直前の状態を示したものであり、図７は、先羽根の露光作動終了状態を示したものであり、図８は、後羽根の露光作動終了直前の状態を示したものである。
【００１４】
そこで先ず、主に図１〜図３を用いて、本実施例の構成を説明する。シャッタ地板１は、その略中央部に長方形を横長にした被写体光路用の開口部１ａを有しているが、図１は、被写体側から見て左約半分を示したものであるため、開口部１ａも一部だけが示されている。周知であるため図示を省略しているが、図１において、シャッタ地板１の背面側、即ち固体撮像素子側には、所定の間隔を空けて中間板と補助地板が、適宜な手段によって順に取り付けられており、シャッタ地板１と中間板との間に先羽根の羽根室を構成し、中間板と補助地板の間に後羽根の羽根室を構成している。そして、それらの中間板や補助地板にも、開口部１ａと重なるところに、開口部１ａよりも若干大きい開口部が形成されている。そのため、本実施例の場合には、開口部１ａが露光開口を規制していることになる。
【００１５】
シャッタ地板１には、開口部１ａの左側の領域に、略円弧状をした二つの大きな長孔１ｂ，１ｃが形成されていて、それらの下端部には、平面形状がＣ字形をしているブチルゴム製の緩衝部材２，３が、周知のようにして取り付けられている。シャッタ地板１の被写体側の面には、軸１ｄ，１ｅ，１ｆ，１ｇ，１ｈが立設され、羽根室側の面には、軸１ｉ，１ｊ，１ｋ，１ｍが立設されているが、それらのうち、軸１ｄと軸１ｉ、及び軸１ｆと軸１ｋは、夫々同心となるようにして立設されている。また、シャッタ地板１の被写体側の面には、このほかにも図示していない複数の軸が立設されていて、それらの先端に、シャッタ地板１と平行になるようにして、図示していない周知の支持板が取り付けられている。そして、その支持板には、シャッタ地板１側に先羽根用電磁石と後羽根用電磁石が取り付けられているが、図１，図４〜図８においては、先羽根用電磁石の鉄芯部材４と後羽根用電磁石の鉄芯部材５だけを二点鎖線で示してある。
【００１６】
シャッタ地板１の上記の軸１ｄには、合成樹脂製の先羽根用駆動部材６が回転可能に取り付けられていて、図示していない周知の先羽根用駆動ばねによって時計方向へ回転するように付勢されている。この先羽根用駆動部材６は、図２に拡大して示してあるように、部分歯車部６ａと、被押動部６ｂと、被写体側へ肉厚に形成された取付部６ｃと、シャッタ地板１側に立設された駆動ピン６ｄとを有していて、駆動ピン６ｄを、図１に示された上記の長孔１ｂに挿入している。また、取付部６ｃには空洞部が形成されていて、そこに、周知のようにして、鉄片部材７が取り付けられている。この鉄片部材７は、軸部７ａと、その一端に固定されている鉄片部７ｂと、他端に形成されている鍔部７ｃとからなっており、空洞内において軸部７ａに嵌装されている図示していない圧縮コイルばねによって、鉄片部７ｂを空洞外へ突き出すように付勢されている。
【００１７】
シャッタ地板１の上記の軸１ｅは、図２のＡ−Ａ線断面図である図３から分かるように、根元側の大径部と先端側の小径部とからなる２段軸であって、その大径部には、歯車８が回転可能に取り付けられている。また、歯車８は、被写体側の面に二つの突起部８ａ，８ｂを有していて、上記の先羽根用駆動部材６の部分歯車部６ａに噛合している。そして、各突起部８ａ，８ｂの回転方向の両端部が、夫々本発明の押動部である。そのため、一つの突起部が二つの押動部を有していることになる。また、軸１ｅの小径部には、摩擦板９が回転可能に取り付けられている。そして、この摩擦板９は、周面に円弧状に形成された二つの切欠き部９ａ，９ｂを有していて、それらの切欠き部９ａ，９ｂの円弧状の長さ方向の両端を、上記の突起部８ａ，８ｂに押される被押動部としている。更に、上記の小径部には、圧縮コイルばね１０が嵌装されており、ねじ１１によって押さえ板１２を小径部の先端に取り付けたことによって、上記の摩擦板９を、大径部と小径部との段差面に圧接させている。尚、図面を見やすくするために、図３以外の図面では、圧縮コイルばね１０の図示が省略されており、押さえ板１２は二点鎖線で示してある。
【００１８】
シャッタ地板１の上記の軸１ｆには、合成樹脂製の後羽根用駆動部材１３が回転可能に取り付けられていて、図示していない周知の後羽根用駆動ばねによって時計方向へ回転するように付勢されている。この後羽根用駆動部材１３は、部分歯車部１３ａと、回転可能に取り付けたローラ１３ｂと、被写体側へ肉厚に形成された取付部１３ｃと、シャッタ地板１側に立設された駆動ピン１３ｄとを有していて、駆動ピン１３ｄを、上記の長孔１ｃに挿入している。また、取付部１３ｃには空洞部が形成されていて、そこに、鉄片部材１４が取り付けられている。そして、この鉄片部材１４は、上記の鉄片部材７と同様に、軸部１４ａと、その一端に固定された鉄片部１４ｂと、他端に形成された鍔部１４ｃとからなっており、空洞内において軸部１４ａに嵌装されている図示していない圧縮コイルばねによって、鉄片部１４ｂを空洞外へ突き出すように付勢されている。
【００１９】
シャッタ地板１の上記の軸１ｇは、上記の軸１ｅと同じ形状の２段軸であって、根元側の大径部には、歯車１５が回転可能に取り付けられている。そして、歯車１５は、上記の歯車８と同様に、押動部としての二つの突起部１５ａ，１５ｂを有していて、後羽根用駆動部材１３の部分歯車部１３ａに噛合している。また、軸１ｇの先端側の小径部には、摩擦板１６が回転可能に取り付けられている。そして、その摩擦板１６も、上記の摩擦板９と同様に、周面に円弧状に形成された二つの切欠き部１６ａ，１６ｂを有していて、それらの長さ方向の両端を、突起部１５ａ，１５ｂに押される被押動部としている。更に、軸１ｇの小径部には、上記の圧縮コイルばね１０と同様な図示していない圧縮コイルばねが嵌装されており、ねじ１７によって押さえ板１８（上記の押さえ板１２と同様に、二点鎖線で示してある）を小径部の先端に取り付けたことによって、摩擦板１６を、大径部と小径部との段差面に圧接させている。
【００２０】
シャッタ地板１の上記の軸１ｈには、合成樹脂製のセット部材１９が回転可能に取り付けられていて、図示していない周知の復帰ばねによって反時計方向へ回転するように付勢されているが、図１は、その回転を図示していない手段によって阻止されている状態を示したものである。以下においては、この位置を初期位置ということにする。そして、セット部材１９は、先羽根用駆動部材６の被押動部６ｂを押す押動部１９ａと、後羽根用駆動部材１３のローラ１３ｂを押す押動部１９ｂと、図示していないカメラ本体側の部材によって押される被押動部１９ｃとを有している。
【００２１】
最後に、二つのシャッタ羽根の構成を説明する。先ず、シャッタ地板１と図示していない中間板との間に配置されている先羽根は、二つのアーム２０，２１と、それらの長さ方向へ順に枢支された３枚の羽根２２，２３，２４とで構成されており、アーム２０，２１は、羽根２２，２３，２４よりもシャッタ地板１側に配置されており、それらの一端を、シャッタ地板１に立設された上記の軸１ｉ，１ｊに対して回転可能に取り付けられている。そして、アーム２０，２１の最先端に枢支された羽根２４がスリット形成羽根であって、周知のように、アーム２０に形成されている図示していない孔には、上記の先羽根用駆動部材６の駆動ピン６ｄが嵌合している。
【００２２】
他方、上記したように、図示していない中間板と補助地板との間に配置されている後羽根は、二つのアーム２５，２６と、それらの長さ方向へ順に枢支された３枚の羽根２７，２８，２９とで構成されており、アーム２５，２６は、羽根２７，２８，２９よりも補助地板側に配置されていて、それらの一端を、シャッタ地板１に立設された上記の軸１ｋ，１ｍに対して回転可能に取り付けられている。そして、アーム２５，２６の最先端に枢支された羽根２９がスリット形成羽根であって、周知のように、アーム２５に形成されている図示していない孔には、上記の後羽根用駆動部材１３の駆動ピン１３ｄが嵌合している。
【００２３】
尚、本実施例のシャッタ羽根は、先羽根も後羽根も、アームは二つずつであるが、夫々三つ以上にしたものも知られている。また、本実施例の場合には、先羽根も後羽根も、３枚ずつの羽根を枢支しているが、１枚ずつにすることも、３枚以外の複数枚ずつにすることも知られているほか、先羽根と後羽根では異なる枚数にすることも知られている。本発明のシャッタ羽根は、それらのうちのどの構成であっても構わない。
【００２４】
次に、本実施例の作動を説明する。図１は、先羽根と後羽根が露光作動を終了した直後の状態を示したものである。そのため、先羽根の３枚の羽根２２〜２４は、重畳されて開口部１aの下方位置に格納されており、後羽根の３枚の羽根２７〜２９は展開されて開口部１aを覆っている。また、このとき、先羽根用駆動部材６の部分歯車部６ａに噛合している歯車８は、突起部８ａ，８ｂを、摩擦板９の切欠き部９ａ，９ｂの円弧状の長さ方向の一端に接触させており、同様にして、後羽根用駆動部材１３の部分歯車部１３ａに噛合している歯車１５は、突起部１５ａ，１５ｂを、摩擦板１６の切欠き部１６ａ，１６ｂの円弧状の長さ方向の一端に接触させている。そして、この状態において、撮像情報が固体撮像素子から記憶装置に転送されると、直ちにセット作動が開始される。
【００２５】
セット作動は、図１の状態において、図示していないカメラ本体側の部材がセット部材１９の被押動部１９ｃを押して、セット部材１９を、図示していない復帰ばねの付勢力に抗して時計方向へ回転させることによって行われる。それによって、セット部材１９は、先ず、その押動部１９ａが、先羽根用駆動部材６の被押動部６ｂを押し、図示していない先羽根用駆動ばねの付勢力に抗して先羽根用駆動部材６を反時計方向へ回転させ始める。そのため、歯車８が時計方向への回転を開始し、突起部８ａ，８ｂが、摩擦板９の切欠き部９ａ，９ｂの円弧状の長さ方向の一端から離れていく。
【００２６】
そして、その後、先羽根のスリット形成羽根２４が、後羽根のスリット形成羽根２９に所定量重なると、セット部材１９のもう一方の押動部１９ｂが、後羽根用駆動部材１３に取り付けられているローラ１３ｂを押すことにより、図示していない後羽根用駆動ばねの付勢力に抗して後羽根用駆動部材１３を反時計方向へ回転させ始める。そのため、歯車１５は時計方向への回転を開始し、突起部１５ａ，１５ｂが、摩擦板１６の切欠き部１６ａ，１６ｂの円弧状の長さ方向の一端から離れていく。そして、その後は、先羽根の３枚の羽根２２〜２４は、羽根同士の重なりを小さくしつつ上方へ作動し、後羽根の３枚の羽根２７〜２９は、羽根同士の重なりを大きくしつつ上方へ作動していく。
【００２７】
このようにして、セット作動が行われてゆき、先羽根のスリット形成羽根２４の上端縁と、後羽根のスリット形成羽根２９の下端縁が開口部１ａの上辺に達する直前になると、一方の歯車８の突起部８ａ，８ｂは、摩擦板９の切欠き部９ａ，９ｂの円弧状の長さ方向の他端に当接し、圧縮コイルばね１０によって付与されている摩擦力に抗して、摩擦板９を時計方向へ回転させ始め、他方の歯車１５の突起部１５ａ，１５ｂも、摩擦板１６の切欠き部１６ａ，１６ｂの円弧状の長さ方向の他端に当接し、図示していない圧縮コイルばねによって付与されている摩擦力に抗して摩擦板１６を時計方向へ回転させ始める。
【００２８】
その後、先羽根の３枚の羽根２２〜２４が展開して開口部１ａを覆い、後羽根の３枚の羽根２７〜２９が重畳して開口部１ａの上方位置に格納された状態になると、各駆動部材６，１３に取り付けられている鉄片部材７，１４の鉄片部７ｂ，１４ｂが、先羽根用電磁石と後羽根用電磁石の鉄芯部材４，５に接触するようになる。しかしながら、各駆動部材６，１３は、それよりも僅かに反時計方向へ回転させられ、セット部材１９に対する図示していないカメラ本体側の部材の押動が停止したときに停止させられ、図４に示されたセット状態になる。従って、図４からは分からないが、この状態においては、実際には、各駆動部材６，１３の取付部６ｃ，１３ｃ内に収容されている図示していない圧縮コイルばねが圧縮させられていて、鉄片部材７，１４の鍔部７ｃ，１４ｃが、各駆動部材６，１３の取付部６ｃ，１３ｃから僅かに離れている。そして、セット部材１９は、次の撮影が行われるまで、この状態を維持させられる。
【００２９】
次の撮影に際して、レリーズボタンが押されると、先ず、先羽根用電磁石と後羽根用電磁磁石の各コイルに通電されるので、夫々の鉄芯部材４，５が、鉄片部材７，１４の鉄片部７ｂ，１４ｂを吸着保持する。その後、セット部材１９の被押動部１９ｃに対する図示していないカメラ本体側の部材による抑止力が解かれ、セット部材１９は、図示していない復帰ばねの付勢力によって図４の位置から反時計方向へ回転させられる。そして、その回転の初期段階において、セット部材１９の押動部１９ａ，１９ｂが先羽根用駆動部材６の被押動部６ｂと後羽根用駆動部材１３のローラ１３ｂから離れることになるが、その段階においては、各駆動部材６，１３は、既に上記のように各鉄片部材７，１４が鉄芯部材４，５に吸着保持されているので、それらの取付部６ｃ，１３ｃが、僅かに離れていた鉄片部材７，１４の鍔部７ｃ，１４ｃに接触した状態となって停止し、露光作動を開始してしまうことがない。
【００３０】
そして、その後、セット部材１９が初期位置に復帰した状態が、図５に示された状態である。従って、このときには、図４の状態よりも各駆動部材６，１３が若干時計方向へ回転させられたことによって、歯車８，１５が若干反時計方向へ回転させられているので、歯車８，１５の突起部８ａ，８ｂ，１５ａ，１５ｂは、摩擦板９，１６に形成されている円弧状の切欠き部９ａ，９ｂ，１６ａ，１６ｂの上記他端から若干離れている。
【００３１】
図５に示されている状態になると、先ず、先羽根用電磁石のコイルに対する通電が断たれる。それによって、鉄片部材７に対する鉄芯部材４の吸引力が失われるため、先羽根用駆動部材６は、図示していない先羽根用駆動ばねの付勢力によって急速に時計方向へ回転させられ、歯車８は反時計方向へ回転させられる。そのため、先羽根の３枚の羽根２２〜２４は、羽根同士の重なりを大きくしつつ略下方へ移動させられ、開口部１ａを上方から開いていく。周知のように、被写体が比較的明るい場合には、先羽根が開口部１ａを全開にする前に、後羽根が露光作動を開始させられ、先羽根のスリット形成羽根２４と後羽根のスリット形成羽根２９との間に形成されるスリットにより、固体撮像素子の撮像面を順に露光していくことになるが、被写体が暗い場合には、先羽根の露光作動が終了した後に、後羽根の露光作動が開始される。そこで、以下の作動説明は、後者の場合で説明する。
【００３２】
図６は、先羽根が、上記のようにして露光作動を開始し、開口部１ａを全開にする直前の状態を示したものであるが、この段階になると、歯車８の突起部８ａ，８ｂは、摩擦板９に形成された円弧状の切欠き部９ａ，９ｂの長さ方向の一端に接触する。そのため、先羽根用駆動部材６がなおも時計方向へ回転するときには、突起部８ａ，８ｂによって、摩擦板９を反時計方向へ回転させることになるため、圧縮コイルばね１０によって付与されている摩擦力によって、先羽根用駆動部材６の回転が制動されることになる。そして、そのように制動されながら、駆動ピン６ｄが緩衝部材２に当接することによって、先羽根用駆動部材６はバウンドを抑制され好適に停止させられる。図７は、そのような先羽根用駆動部材６の停止状態を示したものであるが、このとき、先羽根の３枚の羽根２２〜２４は、開口部１ａを全開にして、開口部１ａの下方位置に格納されているので、必要に応じて、フラッシュ撮影も可能になる。
【００３３】
次に、後羽根用電磁石のコイルに対する通電が断たれると、鉄片部材１４に対する鉄芯部材５の吸引力が失われるため、後羽根用駆動部材１３は、図示していない後羽根用駆動ばねの付勢力によって急速に時計方向へ回転させられる。そのため、後羽根の３枚の羽根２７〜２９は、羽根同士の重なりを小さくしつつ略下方へ移動させられ、開口部１ａを上方から閉じていく。そして、図８に示されているように、開口部１ａを閉鎖し終わる直前の状態になってからは、歯車１５の突起部１５ａ，１５ｂが、摩擦板１６に形成された円弧状の切欠き部１６ａ，１６ｂの長さ方向の一端を押し、摩擦板１６を反時計方向へ回転させるようになるので、後羽根用駆動部材１３の時計方向の回転は、図示していない圧縮コイルばねによって付与された摩擦力によって制動されるようになる。そして、その後、後羽根用駆動部材１３は、駆動ピン１３ｄが緩衝部材３に当接することによって、バウンドを抑制され好適に停止させられる。図１は、その停止状態をしめしたものであって、この状態になると、撮像情報が固体撮像素子から記憶装置に転送され、上記のようにして次のセット作動が開始されることになる。
【００３４】
尚、本実施例の場合には、歯車８に二つの突起部８ａ，８ｂを形成し、摩擦板９に二つの切欠き部９ａ，９ｂを形成しているが、夫々一つずつ形成するだけでも構わない。また、本実施例の場合には、摩擦板９に円弧状の切欠き部９ａ，９ｂを形成しているが、それらを円弧状の長孔にしても構わない。更に、本実施例の場合には、歯車８に突起部８ａ，８ｂを形成し、摩擦板９に切欠き部９ａ，９ｂを形成しているが、摩擦板９に、突起部を形成し、歯車８に、その突起部を挿入させる円弧状の長孔を形成するようにしても構わない。そのようにした場合には、歯車８に形成された長孔の両端が本発明の押動部であり、摩擦板９に形成された突起部の回転方向の両端が本発明の被押動部になる。従って、いずれにしても、歯車８には、少なくとも二つの押動部があって、摩擦板９には、少なくとも二つの被押動部があればよいということになる。そして、これらのことは、歯車１５と摩擦板１６の関係についても同じことが言える。
【００３５】
更に、本実施例の場合には、圧縮コイルばね１０によって、摩擦板９の回転に摩擦力を付与しているが、圧縮コイルばね１０の代わりに板ばねを用いても構わない。また、それらのようなばね部材を用いる代わりに、摩擦板９自体の両面に、ゴムや合成樹脂などの大きな摩擦力を得ることのできる材料で被膜を形成し、その被膜面を、押さえ板１２と、軸１ｅの段差面とに圧接させるようにしてもよい。そして、このことは、摩擦板１６についても同じことが言える。
【００３６】
以上のように、本実施例の説明は、本実施例のフォーカルプレンシャッタを、デジタルカメラに採用した場合を前提にして説明したが、銀塩フィルムを使用するカメラにも採用できることは言うまでもない。また、上記の説明においては、本実施例のフォーカルプレンシャッタを、シャッタ地板を被写体側にして、カメラに取り付ける場合で説明したが、周知のように、デジタルカメラに採用するときは、補助地板を被写体側にして配置する場合もある。また、上記の実施例の構成において、例えば、先羽根用駆動部材，先羽根，先羽根用電磁石を取り除くと、周知のような、一つのシャッタ羽根を備えたデジタルカメラ用のフォーカルプレンシャッタになる。従って、そのように構成したものも本発明に含まれる。
【図面の簡単な説明】
【００３７】
【図１】露光作動終了直後の状態を被写体側から見て左側約半分を示した実施例の平面図である。
【図２】図１の一部拡大図である。
【図３】図１のＡ−Ａ線断面図である。
【図４】セット状態を図１と同様にして見て示した平面図である。
【図５】露光作動開始直前の状態を図１と同様にして見て示した平面図である。
【図６】先羽根の露光作動終了直前の状態を図１と同様にして見て示した平面図である。
【図７】先羽根の露光作動終了状態を図１と同様にして見て示した平面図である。
【図８】後羽根の露光作動終了直前の状態を図１と同様にして見て示した平面図である。
【符号の説明】
【００３８】
１                                  シャッタ地板
１ａ                                開口部
１ｂ，１ｃ                          長孔
１ｄ，１ｅ，１ｆ，１ｇ，１ｈ，１ｉ，１ｊ，１ｋ，１ｍ   軸
２，３                              緩衝部材
４，５                              鉄芯部材
６                                  先羽根用駆動部材
６ａ，１３ａ                        部分歯車部
６ｂ，１９ｃ                        被押動部
６ｃ，１３ｃ                        取付部
６ｄ，１３ｄ                        駆動ピン
７，１４                            鉄片部材
７ａ，１４ａ                        軸部
７ｂ，１４ｂ                        鉄片部
７ｃ，１４ｃ                        鍔部
８，１５                            歯車
８ａ，８ｂ，１５ａ，１５ｂ          突起部
９，１６                            摩擦板
９ａ，９ｂ，１６ａ，１６ｂ          切欠き部
１０                                圧縮コイルばね
１１，１７                          ねじ
１２，１８                          押さえ板
１３                                後羽根用駆動部材
１３ｂ                              ローラ
１９                                セット部材
１９ａ，１９ｂ                      押動部
２０，２１，２５，２６              アーム
２２，２３，２４，２７，２８，２９  羽根
【図１】
2008275778.tif 000003
【図２】
2008275778.tif 000004
【図３】
2008275778.tif 000005
【図４】
2008275778.tif 000006
【図５】
2008275778.tif 000007
【図６】
2008275778.tif 000008
【図７】
2008275778.tif 000009
【図８】
2008275778.tif 000010